(57)【要約】【課題】  無線通信により情報を伝達する単数又は複数のＩＣタグを携行に便利なように保持することができるようにすること。【解決手段】  ＩＣタグを保持したリフィルを備えた手帳。この手帳には、保持しているＩＣタグの情報を外部から読み取られないように、電磁波シールド材で作られたカバーが設けられている。このカバーは、手帳の表紙として設けてもよく、リフィルとして、手帳の中に綴じ込んでおいてもよい。リフィル自体を電磁波シールド材で作ってもよい。その場合は、リフィルを大きめに作り、それ自体に保持しているＩＣタグを覆うように折りたたみ可能に設けておくと便利である。【選択図】      図１
2006021415.tif 000002
【特許請求の範囲】
【請求項１】
ＩＣタグを取り付けた台紙と、電磁波シールド材で作られたカバーとを備えていることを特徴とする手帳
【請求項２】
前記台紙は、手帳本体に対し着脱自在なリフィルである請求項１に記載の手帳。
【請求項３】
電磁波シールド材で作られたリフィルが設けられている請求項１又は２に記載の手帳。
【請求項４】
電磁波シールド材で作られたリフィルにＩＣタグが取り付けられている請求項１乃至３のいずれかに記載の手帳。
【請求項５】
電磁波シールド材で作られたリフィルが、それに取り付けられているＩＣタグを覆うように折りたたみ可能に設けられている請求項１乃至４に記載の手帳。
【発明の詳細な説明】
【技術分野】
【０００１】
本発明は、無線通信により情報を伝達するＩＣタグを取り付けた携行に便利な手帳に関するものである。
【背景技術】
【０００２】
近年、商業やサービス業等の分野で種々の情報を記憶したＩＣタグが広く使用されるようになった。例えば、個々の商品にＩＣタグを取り付けておき、在庫管理に利用したり、商品の特性、例えば食品におけるカロリーを記憶して、食するもののカロリー計算を可能としたもの（特許文献１）等がある。また、傘、財布等にＩＣタグを取り付けておき、忘れ物を防止するような使用法（特許文献２）も提案されている。
【０００３】
【特許文献１】特開２００４−５４６０９号公報
【特許文献２】特開２００４−１３７８９号公報
【０００４】
ＩＣタグは、それに書き込まれている情報を無線を使ってリーダで読み取るので、無線タグ、電子タグとも呼ばれている。ＩＣタグには、電源として電池を内蔵する能動型のものもあるが、商品の識別等に広く使用されているのは、リーダからの電波を電源とするものである。また、ＩＣタグは、読み取り時における上記リーダとの距離によって、密着型、近接型、近傍型、遠隔型等に分類される。
【発明の開示】
【発明が解決しようとする課題】
【０００５】
ＩＣタグに記憶される情報は、かなりの大きさとなってきており、従来広く使用された商品の識別記号等のみならず、時刻表、電話帳、簡単な辞書等の情報も記憶しておくことができるようになった。このため、異なる情報を記憶した複数のＩＣタグを保持して、適宜その内容を読み取ることができるようにしておけば便利である。
【０００６】
そこで本発明は、種々の情報が記憶されている複数のＩＣタグを読み取りに便利なように携行することのできるＩＣホルダーを兼ねた手帳を提供することを課題としている。
【課題を解決するための手段】
【０００７】
上記課題を解決するため、本発明は、次のような構成とした。すなわち、請求項１に記載の本発明に係る手帳は、ＩＣタグを取り付けた台紙と、電磁波シールド材で作られたカバーとを備えてなることを特徴としている。
【０００８】
上記台紙は、請求項２に記載の発明のように、手帳本体に対し着脱自在な手帳用紙（リフィル）としておけば、必要に応じて交換や追加ができるので便利である。また、請求項３に記載の発明は、ＩＣタグを取り付けたリフィルに加えて、電磁波シールド材で作られたリフィルを備えている手帳である。さらに、請求項４に記載の発明は、電磁波シールド材で作られたリフィルにＩＣタグが取り付けられてる手帳である。この場合、請求項５に記載の発明のように、電磁波シールド材の部分を折りたたみ可能としておき、これを折りたたんだとき、ＩＣタグが覆われるようにしておくのが望ましい。
【発明の効果】
【０００９】
請求項１に記載の手帳は、ＩＣタグを取り付けた台紙と、電磁波シールド材で作られたカバーとを備えているので、所望の情報を記憶したＩＣタグを手帳に書き込んだデータとして適宜利用できるようになり、ビジネスや趣味など、多用途に活用することができるようになる。しかも電磁波シールド材でカバーされるので、他人がＩＣタグに記憶されている情報を勝手に読み取ることを防止できる。また、ＩＣタグは、微小であるが、台紙に取り付けられているので、紛失するおそれがない。
【００１０】
また、請求項２に記載の発明は、ＩＣタグを取り付けた台紙が、手帳用紙として手帳本体に対し着脱自在であるので、システム手帳のリフィルとするに適したものである。さらに、請求項３に記載の発明は、手帳のリフィルとして、ＩＣタグを取り付けたリフィル以外に、電磁波シールド材で作られたリフィルが設けられているので、このリフィルによってＩＣタグが保護され、外部から勝手に情報を読み取られるおそれがなくなる。また、請求項４に記載の発明は、電磁波シールド材で作られたリフィル自体にＩＣタグが取り付けられているので、ＩＣタグを保持する台紙としての役目と、情報の漏洩の防止機能を兼ねたものとなる。この場合、請求項５に記載の発明のように、電磁波シールド材で作られたリフィルを折りたたみ可能とし、折りたたんだ状態でＩＣタグの情報が保護され、開けば情報を読み取ることができるようにしておけば便利である。
【発明を実施するための最良の形態】
【００１１】
以下、図面に表された実施形態について具体的に説明する。図１は本発明に係る手帳を例示するもので、この手帳１は、携帯に便利な大きさの複数のリフィル２を着脱自在に綴じてなるもので、一般にシステム手帳と呼ばれているものである。この図示例では、手帳１の表側の表紙３と裏表紙４は、電磁波シールド材で構成されている。
【００１２】
電磁波シールド材としては、シート材に導電性塗料や無電解メッキ、金属溶射、アルミ等の金属の蒸着、スパッタリング等の処理を施したもの、導電性の繊維、粉末、フレーク等とプラスチック、紙等を複合化したもの、金属メッシュや金属箔を貼り合わせたもの等が採用可能である。要は、ＩＣタグの情報が外部から読み取られないように、電磁波をシールドできる導電性を備えてものであればよい。このようにして形成されるシート材自体をリフィルの１種としておくこともできるし、ＩＣタグを保持する台紙として利用することもできる。電磁波シールド材をカバーとして使用する場合は、耐久性を備えた材料、例えば人工皮革等に貼り合わせて使用するのが好ましい。
【００１３】
手帳１のリフィル（紙葉）２は、ＩＣタグ５を保持する台紙となるもので、ＩＣタグ５を保持するに十分な強度を有する紙であればよい。台紙としては、通常の手帳の紙として使用される紙でもよいが、若干腰の強い紙を用いる方が好ましい。場合によっては不織布や繊維を使用することもできる。１枚の台紙２に１個のＩＣタグ５を取り付けておいてもよく、適当な間隔で複数個を取り付けておいてもよい。各ＩＣタグ５の近くに、当該ＩＣタグの内容を表す記号（文字、数字、イラスト等）を見出し表示欄６を設けておけば、ＩＣタグ５の記憶内容がすぐにわかるので便利である。なお、図中の７は、手帳に綴じ込むための綴穴である。
【００１４】
ＩＣタグ５の取り付け法としては、接着剤（粘着材を含む）で固着するのが便利である。図に示すように、台紙２にＩＣタグ５を載せて、その上から別の小さな紙２ａを貼り付けることにより、ＩＣタグ５を台紙に埋め込んだ状態としてもよく、台紙２に袋状部を形成して、その中にＩＣタグを入れて密封してもよい。ＩＣタグ５の取り付け法は、当該ＩＣタグが脱落しないように台紙に保持できる方法であればよく、必ずしも完全に動かないように固定しておく必要はない。
【００１５】
図２はＩＣタグ５とリーダ１０の構成の概略を表す図で、このＩＣタグ５は、無線通信用のアンテナ２０と、変復調回路２１と、制御回路２２と、電源回路２３と、メモリ２４を備えている。電源回路２３は、アンテナ２０はコイルであり、このコイルに生じた電磁誘導による電流を整流し所定の電圧を制御回路２２に供給する。制御回路２２は、電源回路２３からの電圧によって起動され、メモリ２４に記憶されている情報を読み出して、変復調回路２１を介してリーダとの間で無線通信を行う。メモリ２４には、当該ＩＣタグ５の識別ＩＤも格納されているが、用途等によっては、各ＩＣタグ５を識別する識別ＩＤを省略することも可能である。
【００１６】
一方、リーダ１０は、アンテナ３０と、変復調回路３１と、制御回路３２と、電源回路３３を備えている。実用的には、これらの回路の他に、押しボタンやキーからなる操作手段や、液晶等のディスプレイ、アラーム等を設けておく必要がある。リーダ１０の上記電源回路３３は、電池、キャパシタ等の電力を制御回路３２に供給し、制御回路３２は操作装置３５から入力される指令に基づき無線でＩＣタグ５と通信する。このリーダ１０は、上位の装置例えばパソコン４や携帯電話機５０に接続して使用される。携帯電話機にリーダ１０を組み込んでおくと便利である。その場合は、上記各回路を携帯電話機に組み込んで、携帯電話機のＣＰＵを利用して作動させるようにすればよい。なお、リーダ１０とＩＣタグ５との無線通信に際しては、ＩＣタグ５のメモリに格納されている識別ＩＤを検知し、目的とするＩＣタグと通信することも可能である。
【００１７】
この手帳１は、単数又は複数のＩＣタグを保持するＩＣタグホルダーとしての機能を有する。複数のＩＣタグ５には、それぞれ互いに異なる種々の情報が記憶されている。ＩＣタグ５のメモリ２４は、ＲＡＭとＲＯＭを備えている。メモリ２４に記憶される情報としては、メモリの容量に応じて種々のものが可能であり、例えば、カレンダー、アドレス表、カロリー表、時刻表、飲食店や商店のガイド、用語辞典等である。図示例の手帳１は、当然ながら通常の手帳としての機能を有するものであるから、無地の紙葉や罫線入りの紙葉も綴じられる。
【００１８】
上記のように、手帳１は、所望の情報を記憶したＩＣタグ５を台紙であるリフィル２に取り付けて使用するが、台紙として通常の手帳用紙を用いる場合は、ＩＣタグ５取り付け部の余白や、必要な事項を適宜記入できる。ＩＣタグ５に記憶されている情報を読み取る場合は、当該ＩＣタグ５が保持されているリフィル２を開き、リーダ１０を当該ＩＣタグ５に向けて無線通信を行い、その情報を読み取る。読み取られた情報は、リーダ１０に接続された携帯電話機等のディスプレイに表示される。リーダ１０をパソコン等に接続して、パソコンのディスプレイに表示することも可能であり、必要なら読み取った情報を印刷することも可能である。
【００１９】
なお、ＩＣタグ５として読み書き可能なＩＣタグを使用すれば、記憶されている情報の訂正、変更や追加も可能であるので、きわめて便利なものとなる。
【００２０】
次に、図３は上記と異なる実施形態を表すもので、この実施形態では、ＩＣタグ５を保持するリフィル２０として電磁波シールド材で作られたシートを用いている。この場合は、ＩＣタグ５を取り付けたリフィル自体がＩＣタグ５の情報を保護する役目を果たす。このようなリフィルを複数枚重ねておけば、その間に保持されているＩＣタグ５の情報を外部から読み取ることはできなくなるので、機密保持上有効である。
【００２１】
この場合、図４に示すように、電磁波シールド材で作られたリフィル２２を通常のリフィルよりも大きめに作り、手帳からはみ出す部分を内側に折りたためるようにしておくと便利である。すなわち、このリフィル２２にはＩＣタグ５が取り付けられているが、その表面を折りたたんだ部分２２ａで覆うことができるようにしておくと、このリフィルだけで、ＩＣタグ５の両面側を保護することが可能となるので、ほかの電磁波シールド材は不要となる。ＩＣタグ５の情報を読み取る場合は、折りたたんだ部分２２ａを開いて、ＩＣタグ５を露出させればよい。
【産業上の利用可能性】
【００２２】
以上の説明から明らかなように、本発明に係る手帳は、そのリフィルをＩＣタグホルダーとして利用するもので、ＩＣタグの用途の拡大に貢献するものであり、ビジネスや個人の情報源として効果的に利用することが可能である。
【図面の簡単な説明】
【００２３】
【図１】手帳の外観図である。
【図２】本発明のＩＣタグホルダーの構成を例示するブロック図である。
【図３】リフィルの外観図である。
【図４】上記と異なるリフィルの外観図である。
【符号の説明】
【００２４】
１      手帳
２      リフィル（台紙）
３      表側表紙
４      裏表紙
５      ＩＣタグ
【図１】
2006021415.tif 000003
【図２】
2006021415.tif 000004
【図３】
2006021415.tif 000005
【図４】
2006021415.tif 000006